(57)【要約】  本発明は、無線通信システムにおける放送データ支援方法及び装置に関し、本発明の無線通信システムにおいて、基地局の情報伝送方法は、第１タイプ端末に関する第１ヒステリシス情報と第２タイプ端末に関する第２ヒステリシス情報を含むシステム情報ブロックを生成する段階と、前記生成されたシステム情報ブロックを放送する段階と、を含むことを特徴とする。
2017531403.tif 000002
【特許請求の範囲】
【請求項１】
無線通信システムにおける基地局の情報伝送方法において、
第１タイプ端末に関する第１ヒステリシス情報と第２タイプ端末に関する第２ヒステリシス情報を含むシステム情報ブロックを生成する段階と、
前記生成されたシステム情報ブロックを放送する段階と、
を含むことを特徴とする基地局の情報伝送方法。
【請求項２】
前記第１タイプ端末はＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを受信していない端末を含み、
前記第２タイプ端末はＭＢＭＳデータを受信中である端末を含むことを特徴とする請求項１に記載の基地局の情報伝送方法。
【請求項３】
前記システム情報ブロックはＳＩＢ（Ｓｙｓｔｅｍ Ｉｎｆｏｒｍａｔｉｏｎ Ｂｌｏｃｋ）３を含むことを特徴とする請求項１に記載の基地局の情報伝送方法。
【請求項４】
前記第１ヒステリシス情報と前記第２ヒステリシス情報は、前記第１タイプ端末または前記第２タイプ端末がセルリセレクションを実行するのに利用されることを特徴とする請求項１に記載の基地局の情報伝送方法。
【請求項５】
無線通信システムにおける端末のセルリセレクション実行方法において、
基地局からシステム情報ブロックを受信する段階と、
ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを受信中であるかどうかを判断する段階と、
前記システム情報ブロックと前記判断結果に基づいてセルリセレクションを実行する段階と、
を含むことを特徴とする端末のセルリセレクション実行方法。
【請求項６】
前記実行段階は、
前記端末が前記ＭＢＭＳデータを受信中ではない場合、前記システム情報ブロックに含まれた第１タイプのための第１ヒステリシス情報に基づいて前記セルリセレクションを実行することを特徴とする請求項５に記載の端末のセルリセレクション実行方法。
【請求項７】
前記実行段階は、
前記端末が前記ＭＢＭＳデータを受信中ではない場合、前記システム情報ブロックに含まれた第２タイプのための第２ヒステリシス情報に基づいて前記セルリセレクションを実行することを特徴とする請求項５に記載の端末のセルリセレクション実行方法。
【請求項８】
前記システム情報ブロックはＳＩＢ（Ｓｙｓｔｅｍ Ｉｎｆｏｒｍａｔｉｏｎ Ｂｌｏｃｋ）３を含むことを特徴とする請求項５に記載の端末のセルリセレクション実行方法。
【請求項９】
前記実行段階は、
前記端末が前記ＭＢＭＳデータを受信中ではない場合、予め設定されたオフセット情報を確認する段階と、
前記システム情報ブロックに含まれたヒステリシス情報と前記オフセット情報に基づいて前記セルリセレクションを実行する段階と、
をさらに含むことを特徴とする請求項５に記載の端末のセルリセレクション実行方法。
【請求項１０】
無線通信システムにおける情報を伝送する基地局において、
信号を送受信する送受信部と、
第１タイプ端末に関する第１ヒステリシス情報と第２タイプ端末に関する第２ヒステリシス情報を含むシステム情報ブロックを生成し、前記生成されたシステム情報ブロックを放送するように制御する制御部と、
を含むことを特徴とする基地局。
【請求項１１】
前記第１タイプ端末はＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを受信していない端末を含み、
前記第２タイプ端末はＭＢＭＳデータを受信中である端末を含むことを特徴とする請求項１０に記載の基地局。
【請求項１２】
前記システム情報ブロックはＳＩＢ（Ｓｙｓｔｅｍ Ｉｎｆｏｒｍａｔｉｏｎ Ｂｌｏｃｋ）３を含むことを特徴とする請求項１０に記載の基地局。
【請求項１３】
前記第１ヒステリシス情報と前記第２ヒステリシス情報は前記第１タイプ端末または前記第２タイプ端末がセルリセレクションを実行するのに利用されることを特徴とする請求項１０に記載の基地局。
【請求項１４】
無線通信システムにおけるセルリセレクションを実行する端末において、
基地局と信号を送受信する送受信部と、
基地局からシステム情報ブロックを受信し、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを受信中であるかどうかを判断し、前記システム情報ブロックと前記判断結果に基づいてセルリセレクションを実行するように制御する制御部と、
を含むことを特徴とする端末。
【請求項１５】
前記制御部は、
前記端末が前記ＭＢＭＳデータを受信中ではない場合、前記システム情報ブロックに含まれた第１タイプのための第１ヒステリシス情報に基づいて前記セルリセレクションを実行するように制御することを特徴とする請求項１４に記載の端末。
【請求項１６】
前記制御部は、
前記端末が前記ＭＢＭＳデータを受信中ではない場合、前記システム情報ブロックに含まれた第２タイプのための第２ヒステリシス情報に基づいて前記セルリセレクションを実行するように制御することを特徴とする請求項１４に記載の端末。
【請求項１７】
前記システム情報ブロックはＳＩＢ（Ｓｙｓｔｅｍ Ｉｎｆｏｒｍａｔｉｏｎ Ｂｌｏｃｋ）３を含むことを特徴とする請求項１４に記載の端末。
【請求項１８】
前記制御部は、
前記端末が前記ＭＢＭＳデータを受信中ではない場合、予め設定されたオフセット情報を確認し、前記システム情報ブロックに含まれたヒステリシス情報と前記オフセット情報に基づいて前記セルリセレクションを実行するように制御することを特徴とする請求項１４に記載の端末。
【発明の詳細な説明】
【技術分野】
【０００１】
本発明は、無線通信システムに関し、より具体的には、ＬＴＥ（Ｌｏｎｇ  Ｔｅｒｍ  Ｅｖｏｌｕｔｉｏｎ）システムにおけるＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを提供する方法及び装置に関する。
【背景技術】
【０００２】
一般的に、移動通信システムは、ユーザの活動性を保障し、音声サービスを提供するために開発されたものである。しかし、最近、移動通信システムは、音声だけでなくデータサービスにまで領域を拡大しており、現在は高速のデータサービスを提供できる程度にまで発展している。しかし、現在、サービスが提供されている移動通信システムにおいて、リソースの不足現象が起きており、また、ユーザはより高速のサービスを求めているため、より発展された移動通信システムが要求されている。
【０００３】
このような要求に応えて、次世代移動通信システムとして開発している一つのシステムとして、３ＧＰＰ（Ｔｈｅ ３ｒｄ Ｇｅｎｅｒａｔｉｏｎ Ｐａｒｔｎｅｒｓｈｉｐ Ｐｒｏｊｅｃｔ）でＬＴＥ（Ｌｏｎｇ  Ｔｅｒｍ  Ｅｖｏｌｕｔｉｏｎ）に対する規格作業が進行されている。ＬＴＥは最大１００Ｍｂｐｓ程度の伝送速度を有する高速パケット基盤通信を具現する技術である。このために、様々な方案が議論されているが、例えば、ネットワークの構造を簡単にして通信路上に位置するノードの数を減らす方案や、無線プロトコルを最大限に無線チャンネルに近接させる方案などがある。
【０００４】
一方、データサービスは、音声サービスとは異なり、伝送しようとするデータの量やチャンネルの状況によって割り当てられるリソースなどが決定される。従って、移動通信システムのような無線通信システムでは、スケジューラで伝送しようとするリソースの量やチャンネルの状況及びデータの量などを考慮して伝送リソースを割り当てるなどの管理が行われる。これは、次世代移動通信システム中の一つであるＬＴＥでも同様に行われ、基地局に位置するスケジューラが無線伝送リソースを管理して割り当てる。
【０００５】
最近、ＬＴＥ通信システムに様々な新技術を融合して伝送速度を向上させる進化したＬＴＥ通信システム（ＬＴＥ−Ａｄｖａｎｃｅｄ、ＬＴＥ−Ａ）に関する議論が本格化している。進化したＬＴＥ−ＡシステムではＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）も改善されている。ＭＢＭＳはＬＴＥシステムを通じて提供される放送サービスである。
【０００６】
事業者はユニキャスト（ｕｎｉｃａｓｔ）通信だけでなく、ＭＢＭＳサービスに関してもサービス領域を最適化するべきであり、特に、端末がセル間で移動を行う場合、前記端末に連続的にＭＢＭＳサービスを提供できる方案について議論が必要な状況である。
【発明の概要】
【発明が解決しようとする課題】
【０００７】
本発明は、上記のような要求によって導出されたものであり、ＬＴＥ（Ｌｏｎｇ  Ｔｅｒｍ  Ｅｖｏｌｕｔｉｏｎ）システムにおいてＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを連続的に提供する方法及び装置を提供することを目的とする。
【０００８】
より具体的には、本発明は、ＭＢＭＳデータを受信する端末がセル間を移動する際、セルリセレクションが頻繁に発生しないようにする方法及び装置を提供することを目的とする。
【課題を解決するための手段】
【０００９】
上記のような問題点を解決するための本発明の無線通信システムにおける基地局の情報伝送方法は、第１タイプ端末に関する第１ヒステリシス情報と第２タイプ端末に関する第２ヒステリシス情報を含むシステム情報ブロックを生成する段階と、前記生成されたシステム情報ブロックを放送する段階と、を含むことを特徴とする。
【００１０】
また、本発明の無線通信システムにおける端末のセルリセレクション実行方法は、基地局からシステム情報ブロックを受信する段階と、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを受信中であるかどうかを判断する段階と、前記システム情報ブロックと前記判断結果に基づいてセルリセレクションを実行する段階と、を含むことを特徴とする。
【００１１】
また、本発明の無線通信システムにおける情報を伝送する基地局は、信号を送受信する送受信部と、第１タイプ端末に関する第１ヒステリシス情報と第２タイプ端末に関する第２ヒステリシス情報を含むシステム情報ブロックを生成し、前記生成されたシステム情報ブロックを放送するように制御する制御部と、を含むことを特徴とする。
【００１２】
また、本発明の無線通信システムにおけるセルリセレクションを実行する端末は、基地局と信号を送受信する送受信部と、基地局からシステム情報ブロックを受信し、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを受信中であるかどうかを判断し、前記システム情報ブロックと前記判断結果に基づいてセルリセレクションを実行するように制御する制御部と、を含むことを特徴とする。
【発明の効果】
【００１３】
本発明によると、ＭＢＭＳデータを受信する端末がセル間を移動する際、セルリセレクションが頻繁に発生しないため、端末はＭＢＭＳデータを連続的に受信することができる。
【図面の簡単な説明】
【００１４】
【図１】ＭＢＭＳ概念図を示している。
【図２】ＭＢＳＦＮ伝送のために使用されるダウンリンクチャンネルマッピング関係を示している。
【図３】ＬＴＥシステムで使用されるダウンリンクフレームの構造を示している。
【図４】端末がＭＢＳＦＮ受信のための過程を示すフローチャートである。
【図５】端末がセル間を移動する際に発生し得る問題点を説明するための図面である。
【図６】本発明の第２実施形態に係る基地局の動作順序を示すフローチャートである。
【図７】本発明の第２実施形態に係る端末の動作順序を示すフローチャートである。
【図８】本発明の第３実施形態に係る端末の動作順序を示すフローチャートである。
【図９】本発明の実施形態に係る基地局の内部構造を示すブロック図である。
【図１０】本発明の実施形態に係る端末の内部構造を示すブロック図である。
【発明を実施するための形態】
【００１５】
以下、添付された図面を参照しながら本発明の好ましい実施形態を詳細に説明する。添付された図面において同一の構成要素は同一の符号で表している。また、本発明の要旨をより明確にするために公知の機能および構成に関する詳細な説明は省略する。
【００１６】
本明細書で実施形態を説明するにおいて、本発明の属する技術分野で既によく知られている内容や、本発明と直接的に関連のない技術内容については説明を省略する。これは不要な説明を省略することによって、本発明の要旨をより明確に伝達するためである。
【００１７】
上記と同様の理由により、添付図面において一部の構成要素は誇張または省略され、概略的に示されている。また、各構成要素のサイズは実際のサイズをそのまま反映したものではない。各図面において同一または対応する構成要素は同一の参照番号で表している。
【００１８】
本発明の利点及び特徴、また、それを達成する方法は、添付図面と共に詳細に後述されている実施形態を参照すれば明確に理解することができる。しかし、本発明は、下記の実施形態に限定されるものではなく、相異する様々な形態で具現することができ、本実施形態は、本発明の開示が完全になるようにすることで、本発明の属する技術分野における通常の知識を有する者に対して、発明の範囲を明確に知らせるために提供されるものであり、本発明は請求項の範囲によって定義される。明細書全体において同一の参照符号は同一の構成要素を指している。
【００１９】
このとき、処理フローチャート図面の各ブロックとフローチャート図面の組み合わせは、コンピュータプログラムインストラクションによって実行される。これらのコンピュータプログラムインストラクションは、汎用コンピュータ、特殊用コンピュータ、またはその他のプログラム可能なデータプロセッシング装備のプロセッサに搭載することができるので、コンピュータまたはその他のプログラム可能なデータプロセッシング装備のプロセッサを通じて実行されるインストラクションが、フローチャートのブロックで説明された機能を行う手段を生成することになる。これらのコンピュータプログラムインストラクションは、特定の方式で機能を実現するために、コンピュータまたはその他のプログラム可能なデータプロセッシング装備を志向できるコンピュータ利用可能またはコンピュータ読取り可能メモリに保存されることもできるので、そのコンピュータ利用可能またはコンピュータ読取り可能メモリに保存されているインストラクションは、フローチャートのブロックで説明された機能を実行するインストラクション手段を含む製造品目を生産することもできる。コンピュータプログラムインストラクションは、コンピュータまたはその他のプログラム可能なデータプロセッシング装備上に搭載されることもできるので、コンピュータまたはその他のプログラム可能なデータプロセッシング装備上で、一連の動作段階が実行され、コンピュータで実行されるプロセスを生成してコンピュータまたはその他のプログラム可能なデータプロセッシング装備を実行するインストラクションは、フローチャートのブロックで説明された機能を実行するための段階を提供することもできる。
【００２０】
また、各ブロックは、特定された論理的機能を実行するための一つ以上の実行可能なインストラクションを含むモジュール、セグメント、またはコードの一部を表すことができる。また、いくつかの代替実行例では、ブロックで言及された機能が順番に関係なく発生し得ることに注目するべきである。例えば、続けて図示されている二つのブロックは、実質的に同時に実行されることもでき、またはそのブロックが該当する機能によって逆順に実行されることもできる。
【００２１】
本実施形態で使用される「〜部」という用語は、ソフトウェアまたはＦＰＧＡまたはＡＳＩＣのようなハードウェアの構成要素を意味し、「〜部」はある役割を果たす。ここで「〜部」はソフトウェアまたはハードウェアに限定される意味ではない。「〜部」はアドレッシングできる保存媒体に存在するように構成することもでき、一つまたはそれ以上のプロセッサを再生させるように構成することもできる。一例として、「〜部」はソフトウェア構成要素、オブジェクト指向ソフトウェア構成要素、クラス構成要素、及びタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。構成要素と「〜部」の中で提供される機能は、より少ない数の構成要素及び「〜部」に結合されたり、追加的な構成要素と「〜部」にさらに分離されることができる。また、構成要素及び「〜部」は、デバイスまたはセキュリティマルチメディアカード内の一つまたはそれ以上のＣＰＵを再生させるように具現されることもできる。
【００２２】
図１はＭＢＭＳ概念図を示している。
【００２３】
ＭＢＭＳサービス領域（ＭＢＭＳ ｓｅｒｖｉｃｅ ａｒｅａ、１００）は、ＭＢＳＦＮ（Ｍｕｌｔｉｍｅｄｉａ Ｂｒｏａｄｃａｓｔ ｍｕｌｔｉｃａｓｔ ｓｅｒｖｉｃｅ Ｓｉｎｇｌe Ｆｒｅｑｕｅｎｃｙ Ｎｅｔｗｏｒｋ）の伝送を実行できる複数の基地局で構成されたネットワーク領域である。
【００２４】
ＭＢＳＦＮ領域（ＭＢＳＦＮ Ａｒｅａ、１０５）(または、放送領域情報、以下、二つの用語を混用する)は、ＭＢＳＦＮ伝送のために、統合された複数のセルで構成されたネットワーク領域であり、ＭＢＳＦＮ領域内のセルは全てＭＢＳＦＮ伝送が同期化されている。
【００２５】
ＭＢＳＦＮ領域予約セル（ＭＢＳＦＮ Ａｒｅａ Ｒｅｓｅｒｖｅｄ Ｃｅｌｌｓ、１１０）を除く全てのセルはＭＢＳＦＮの伝送に利用される。ＭＢＳＦＮ領域予約セル１１０は、ＭＢＳＦＮの伝送に利用されていないセルであり、他の目的のために伝送可能であるが、ＭＢＳＦＮの伝送に割り当てられた無線リソースに対して送信電力が制限され得る。
【００２６】
図２はＭＢＳＦＮ伝送のために使用されるダウンリンクチャンネルマッピング関係を示している。
【００２７】
図２で示されているように、ＭＡＣ階層と物理階層の間ではＭＣＨ２００を利用し、ＭＣＨは物理階層のＰＭＣＨ２０５とマッピングされる。
【００２８】
データを特定の端末に対してのみ伝送するユニキャスト方式は、一般的にＰＤＳＣＨ（Ｐｈｙｓｉｃａｌ Ｄｏｗｎｌｉｎｋ Ｓｈａｒｅｄ Ｃｈａｎｎｅｌ、２１０）を利用する。
【００２９】
図３はＬＴＥシステムで使用されるダウンリンクフレームの構造を示している。
【００３０】
図３で示されているように、任意のラジオフレーム３００は１０個のサブフレーム３０５で構成される。ここで、それぞれのサブフレームは、一般的なデータ送受信のために使用される「一般サブフレーム３１０」と、放送のために使用される「ＭＢＳＦＮ（Ｍｕｌｔｉｍｅｄｉａ Ｂｒｏａｄｃａｓｔ ｍｕｌｔｉｃａｓｔ ｓｅｒｖｉｃｅ Ｓｉｎｇｌｅ Ｆｒｅｑｕｅｎｃｙ Ｎｅｔｗｏｒｋ、以下、ＭＢＳＦＮという。)サブフレーム３１５」の形態が存在する。
【００３１】
一般サブフレームとＭＢＳＦＮサブフレームの差異は、ＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、以下、ＯＦＤＭという。)シンボルの個数、循環前置（Ｃｙｃｌｉｃ ｐｒｅｆｉｘ）の長さ、セル特定の基準信号（ｃｅｌｌ−ｓｐｅｃｉｆｉｃ ｒｅｆｅｒｅｎｃｅ ｓｉｇｎａｌｓ、ＣＲＳ）などの構造及び個数にある。
【００３２】
一方、Ｒｅｌ−８、Ｒｅｌ−９システムにおいて、ＭＢＳＦＮサブフレームは、ブロードキャスト（ｂｒｏａｄｃａｓｔ）またはマルチキャスト（ｍｕｌｔｉｃａｓｔ）データを伝送する目的でのみ使用されていた。しかし、システムが進化し、ＬＴＥ Ｒｅｌ−１０からは、ＭＢＳＦＮサブフレームが、ブロードキャストまたはマルチキャストの目的だけでなくユニキャスト（ｕｎｉｃａｓｔ）の目的でも使用されるようになった。
【００３３】
ＬＴＥでは、物理ダウンリンク共有チャンネル（Ｐｈｙｓｉｃａｌ Ｄｏｗｎｌｉｎｋ Ｓｈａｒｅｄ ＣＨａｎｎｅｌ、以下、ＰＤＳＣＨという。)を効率的に使用するために、各端末をマルチアンテナ（Ｍｕｌｔｉ−ａｎｔｅｎｎａ）技術とＲＳ（Ｒｅｆｅｒｅｎｃｅ ｓｉｇｎａｌ）に関連する伝送モード（Ｔｒａｎｓｍｉｓｓｉｏｎ Ｍｏｄｅ、ＴＭ）に区分して設定する。
【００３４】
現在、ＬＴＥ Ｒｅｌ−１０ではＴＭ１からＴＭ９まで存在する。それぞれの端末はＰＤＳＣＨ伝送のために一つのＴＭを有し、ＴＭ８がＲｅｌ−９で、ＴＭ９がＲｅｌ−１０で新しく定義された。
【００３５】
ここで、特に、ＴＭ９は最大８個のランクを有するＳＵ−ＭＩＭＯ（ｓｉｎｇｌｅ ｕｓｅｒ−ｍｕｌｔｉ−ｉｎｐｕｔ ｍｕｌｔｉ−ｏｕｔｐｕｔ）を支援する。ＴＭ９はマルチレイヤの伝送を支援し、復調（ｄｅ−ｍｏｄｕｌａｔｉｏｎ）の際Ｒｅｌ−１０ ＤＭＲＳ（Ｄｅｍｏｄｕｌａｔｉｏｎ Ｒｅｆｅｒｅｎｃｅ Ｓｉｇｎａｌ、復調基準信号；以下、ＤＭＲＳという。)を使用して、最大８個のレイヤーの伝送を可能にする。また、前記Ｒｅｌ−１０ ＤＭＲＳは予めコーディングされた（ｐｒｅｃｏｄｅｄ）ＤＭＲＳが伝送されるが、当該プリコーダインデックス（ｐｒｅｃｏｄｅｒ ｉｎｄｅｘ）を受信端に知らせる必要がない。
【００３６】
また、ＴＭ９を支援するために、Ｒｅｌ−１０でＤＣＩ（Ｄｏｗｎｌｉｎｋ Ｃｏｎｔｒｏｌ Ｉｎｆｏｒｍａｔｉｏｎ、ダウンリンク制御情報；以下、ＤＣＩという。)フォーマット２Ｃが新しく定義された。特記すべきは、Ｒｅｌ−１０以前の端末はＭＢＳＦＮサブフレームでデコーディングを試みないことである。従って、全ての端末にＭＢＳＦＮサブフレームでデコーディングを試みるようにすることは、上記の以前のリリース（ｒｅｌｅａｓｅ）の端末のアップグレード要求につながる。
【００３７】
前述したＴＭのうち、特に、ＴＭ９はマルチアンテナを使用して伝送効率を最大化する伝送モードである。本発明において、基地局は、ＭＢＳＦＮサブフレームでもユニキャストデータを受信することによってデータ処理量（ｔｈｒｏｕｇｈｐｕｔ）を高める必要のある端末にはＴＭ９を設定し、ＴＭ９が設定された端末のみＭＢＳＦＮサブフレームでユニキャストデータを受信するようにする。
【００３８】
一方、ユニキャストデータ送受信のために、ＬＴＥシステムでは、データ送受信が実際にどこで行われるのかをＰＤＣＣＨで知らせ、実際のデータはＰＤＳＣＨで伝送する。端末は、実際のデータを受信する前に、ＰＤＣＣＨで、前記端末に割り当てられたリソース割り当て情報があるかどうかを判断しなければならない。
【００３９】
一方、ＭＢＳＦＮはより複雑な過程によってリソース割り当て情報を獲得する。
【００４０】
まず、基地局は、ブロードキャスト情報であるＳＩＢ１３（Ｓｙｓｔｅｍ Ｉｎｆｏｒｍａｔｉｏｎ Ｂｌｏｃｋ １３）を通じて、端末に、セルが提供しているＭＢＳＦＮ領域（ＭＢＳＦＮ Ａｒｅａ）別のＭＣＣＨ（Ｍｕｌｔｉｃａｓｔ Ｃｏｎｔｒｏｌ Ｃｈａｎｎｅｌ）の伝送位置を知らせる。ＭＣＣＨはＭＢＳＦＮのためのリソース割り当て情報を含んでおり、端末は、ＭＣＣＨをデコーディングしてＭＢＳＦＮサブフレームの伝送位置を把握することができる。
【００４１】
上記のように、ＭＢＭＳが従来のユニキャストとは異なる方式によってリソース割り当て情報を提供する理由は、ＭＢＭＳが待機モードにある端末にも提供可能でなければならないためである。従って、制御チャンネルであるＭＣＣＨの伝送位置をブロードキャスト情報であるＳＩＢ１３に知らせるのである。ＭＢＭＳサービスを受信する全体的な過程は図４と共に説明する。
【００４２】
図４は端末がＭＢＳＦＮを受信するための過程を示すフローチャートである。
【００４３】
４０５段階で端末４００は基地局４０３からＳＩＢ１を受信する。前記ＳＩＢ１には他のＳＩＢに関するスケジューリング情報を含んでいる。従って、他のＳＩＢを受信するためにはＳＩＢ１を先に受信しなければならない。
【００４４】
４１０段階で端末４００は基地局４０３からＳＩＢ２を受信する。ＳＩＢ２のＭＢＳＦＮサブフレーム設定リスト（ＭＢＳＦＮ−ＳｕｂｆｒａｍｅＣｏｎｆｉｇＬｉｓｔ ＩＥ）にはＭＢＳＦＮ伝送目的で使用されるサブフレームを指示する。
【００４５】
ＭＢＳＦＮ−ＳｕｂｆｒａｍｅＣｏｎｆｉｇＬｉｓｔ ＩＥにはＭＢＳＦＮ−ＳｕｂｆｒａｍｅＣｏｎｆｉｇ ＩＥが含まれ、どのラジオフレーム（Ｒａｄｉｏ ｆｒａｍｅ）のどのサブフレーム（ｓｕｂｆｒａｍｅ）がＭＢＳＦＮサブフレームになり得るかを指示する。下記表１はＭＢＳＦＮ−ＳｕｂｆｒａｍｅＣｏｎｆｉｇ ＩＥの構成表である。
【００４６】
【表１】
2017531403.tif 000003
【００４７】
ここで、ラジオフレーム割り当て周期（ｒａｄｉｏＦｒａｍｅＡｌｌｏｃａｔｉｏｎＰｅｒｉｏｄ）とラジオフレーム割り当てオフセット（ｒａｄｉｏＦｒａｍｅＡｌｌｏｃａｔｉｏｎＯｆｆｓｅｔ）はＭＢＳＦＮサブフレームを有するラジオフレームを指示するのに利用され、数式ＳＦＮ ｍｏｄ ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔを満たすラジオフレームはＭＢＳＦＮサブフレームを有する。
【００４８】
ＳＦＮはシステムフレームナンバー（Ｓｙｓｔｅｍ Ｆｒａｍｅ Ｎｕｍｂｅｒ）であり、ラジオフレーム番号を指示する。前記ＳＦＮは０から１０２３の範囲を有し、繰り返される。
【００４９】
サブフレーム割り当て（ｓｕｂｆｒａｍｅＡｌｌｏｃａｔｉｏｎ）は、上記数式によって指示されたラジオフレーム内でどのサブフレームがＭＢＳＦＮサブフレームであるかを指示する。
【００５０】
一つのラジオフレーム単位または四つのラジオフレーム単位で指示することができる。一つのラジオフレーム単位を利用する場合、ｏｎｅＦｒａｍｅ ＩＥに指示される。ＭＢＳＦＮサブフレームは、一つのラジオフレーム内の計１０個のサブフレームの中で１、２、３、６、７、８番目のサブフレームの中に存在し得る。従って、ｏｎｅＦｒａｍｅ ＩＥは６ビットを利用して前記並べられたサブフレームの中でＭＢＳＦＮサブフレームを指示する。
【００５１】
四つのラジオフレーム単位を利用する場合、ｆｏｕｒＦｒａｍｅｓ ＩＥに指示される。四つのラジオフレームをカバーするために計２４ビットを利用して、ラジオフレーム別に前記並べられたサブフレームの中でＭＢＳＦＮサブフレームを指示する。従って、端末はＭＢＳＦＮ−ＳｕｂｆｒａｍｅＣｏｎｆｉｇＬｉｓｔ ＩＥを利用して正確にＭＢＳＦＮサブフレームになり得るサブフレームが分かる。
【００５２】
仮に、端末４００がＭＢＳＦＮの受信を希望すれば、端末４００は、４１５段階で基地局４０５からＳＩＢ１３を受信する。ＳＩＢ１３のＭＢＳＦＮ領域情報リスト（ＭＢＳＦＮ−ＡｒｅａＩｎｆｏＬｉｓｔ ＩＥ）にはセルが提供しているＭＢＳＦＮ領域別ＭＣＣＨが伝送される位置情報が含まれ、この情報を利用して端末はＭＣＣＨを４２０段階で受信する。
【００５３】
下記表２はＭＢＳＦＮ−ＡｒｅａＩｎｆｏＬｉｓｔ ＩＥを表している。
【００５４】
各ＭＢＳＦＮ領域（ａｒｅａ）別にそれぞれに対応するＭＣＣＨが存在し、ＭＢＤＦＮ−ＡｒｅａＩｎｆｏＬｉｓｔ ＩＥは全てのＭＢＳＦＮ領域のＭＣＣＨスケジューリング情報を含んでいる。ＭＢＳＦＮ−ＡｒｅａＩｎｆｏ ＩＥはＭＣＣＨスケジューリング及びその他の情報を含んでいる。Ｍｂｓｆｎ−ＡｒｅａＩｄはＭＢＳＦＮ ａｒｅａ ＩＤである。Ｎｏｎ−ＭＢＳＦＮｒｅｇｉｏｎＬｅｎｇｔｈはＭＢＦＳＮサブフレーム内のシンボルの中でｎｏｎ−ＭＢＳＦＮ領域に該当するシンボルの個数を表す。前記シンボルはサブフレームの前の部分に位置する。ｎｏｔｉｆｉｃａｔｉｏｎＩｎｄｉｃａｔｏｒは端末にＭＣＣＨ情報の変更を知らせるＰＤＣＣＨ ｂｉｔを指示するのに利用される。Ｍｃｃｈ−Ｃｏｎｆｉｇ ＩＥはＭＣＣＨスケジューリング情報を含んでいる。Ｍｃｃｈ−ＲｅｐｅｔｉｔｉｏｎＰｅｒｉｏｄ及びｍｃｃｈ−ＯｆｆｓｅｔはＭＣＣＨを含んでいるフレームの位置を表すのに利用される。Ｍｃｃｈ−ＭｏｄｉｆｉｃａｔｉｏｎＰｅｒｉｏｄはＭＣＣＨの伝送周期であり、ｓｆ−ＡｌｌｏｃＩｎｆｏは前記ＭＣＣＨを含むフレーム内にＭＣＣＨを含んだサブフレームの位置を指示する。ｓｉｇｎａｌｌｉｎｇＭＣＳはｓｆ−ＡｌｌｏｃＩｎｆｏが指示するサブフレーム及び（Ｐ）ＭＣＨに適用されたＭＣＳ（Ｍｏｄｕｌａｔｉｏｎ ａｎｄ Ｃｏｄｉｎｇ Ｓｃｈｅｍｅ）を表す。
【００５５】
【表２】
2017531403.tif 000004
【００５６】
ＭＣＣＨのＭＢＳＦＮ領域設定（ＭＢＳＦＮＡｒｅａＣｏｎｆｉｇｕｒａｔｉｏｎ ＩＥ）にはＭＢＳＦＮ伝送のために利用されるリソースの位置を指示し、端末はこの情報を利用してＭＢＳＦＮサブフレームを４２５段階で受信する。ｃｏｍｍｏｎＳＦ−ＡｌｌｏｃはＭＢＳＦＮ ａｒｅａに割り当てられたサブフレームを表す。ｃｏｍｍｏｎＳＦ−ＡｌｌｏｃＰｅｒｉｏｄは前記ｃｏｍｍｏｎＳＦ−Ａｌｌｏｃが指示するサブフレームが繰り返す周期である。
【００５７】
Ｐｍｃｈ−ＩｎｆｏＬｉｓｔ ＩＥは一つのＭＢＳＦＮ領域の全てのＰＭＣＨ設定情報を含む。
【００５８】
【表３】
2017531403.tif 000005
【００５９】
端末は、受信したＭＡＣ ＰＤＵのＭＡＣ ＣＥ（Ｃｏｎｔｒｏｌ Ｅｌｅｍｅｎｔ）中の一つであるＭＣＨスケジューリング情報ＭＡＣ ＣＥ（ＭＣＨ ｓｃｈｅｄｕｌｉｎｇ ｉｎｆｏｒｍａｔｉｏｎ ＭＡＣ ＣＥ）で、希望するＭＴＣＨが伝送されるＭＢＳＦＮサブフレームの位置を４３０段階で獲得する。端末は、ＭＣＨスケジューリング情報（ＭＣＨ ｓｃｈｅｄｕｌｉｎｇ ｉｎｆｏｒｍａｔｉｏｎ）を利用して、希望するＭＴＣＨを４３５段階でデコーディングする。
【００６０】
図５は端末がセル間を移動する際に発生し得る問題点を説明するための図面である。
【００６１】
（ｅ）ＭＢＭＳサービスを受信する端末５００は、セル間を移動する際（ｃｅｌｌ ｃｈａｎｇｅ）、標準で定義したＳＩＢ １３メッセージに含まれたＭＢＳＦＮ ａｒｅａ情報(または、放送領域情報)を受信する前にはＰＭＣＨチャンネルから受信したデータをデコーディング（ｄｅｃｏｄｉｎｇ）できず、バッファリング（ｂｕｆｆｅｒｉｎｇ）する問題が発生し得る。すなわち、端末が他のセルに移動する際、ＳＩＢ １３メッセージを受信して、移動したセルの放送領域情報が、移動前のセルの放送領域情報と同一であるかどうかを判断する前までは画像の再生が遅延するおそれがある。
【００６２】
また、端末がアイドル（ｉｄｌｅ）状態で他のセルに移動する場合、セル間でリセレクション（ｒｅｓｅｌｅｃｔｉｏｎ）を実行する回数が多くなってしまい、バッファリング現象が発生する確率が高くなる。
【００６３】
本発明は、上記のような問題点を解決するために導出されたものであり、端末がセル間移動を実行した場合、放送データをデコーディングするのに発生する遅延を最小化するための方法及び装置を提供する。
【００６４】
より具体的には、本発明は、ＭＢＭＳデータを受信する端末が、アイドル状態で他のセルに移動する場合、セルリセレクションが頻繁に発生しないように、ＭＢＭＳデータを受信する端末に対しては、ＭＢＭＳデータを受信しない端末とは相異するセルリセレクション設定値を適用する方法について開示する。
【００６５】
また、本発明は、ＭＢＭＳデータを受信する端末が、自主的にセルリセレクション設定値を調整し、セル間移動時にセルリセレクションが頻繁に発生しないようにする方法について開示する。
【００６６】
まず、本発明の第１実施形態について説明する。
【００６７】
本発明の第１実施形態によると、基地局は、端末がセルリセレクション実行時に使用するパラメータのうち、ピンポン現象を減らすために使用されるヒステリシス情報と、オフセット情報の値を調整することができる。
【００６８】
より具体的には、前記ヒステリシス情報は、システム情報ブロック（Ｓｙｓｔｅｍ Ｉｎｆｏｒｍａｔｉｏｎ Ｂｌｏｃｋ、ＳＩＢ）３を通じて放送されるＱ−Ｈｙｓｔパラメータである場合がある。また、前記オフセット情報はＳＩＢ ４を通じて放送されるｑ−ＯｆｆｓｅｔＣｅｌｌパラメータである場合がある。
【００６９】
本発明の第１実施形態によると、基地局は、端末がサービングセルに最大限長く止まるように前記パラメータ値を調整し、端末のセルリセレクションの回数を減少させることができる。
【００７０】
前述した本発明の第１実施形態によると、端末のセルリセレクションの回数が減少され、バッファリング問題を緩和することができる。
【００７１】
以下では、本発明の第２実施形態について説明する。
【００７２】
本発明の第２実施形態によると、基地局は、ＳＩＢ ３を通じて放送されていたヒステリシス情報を、第１タイプ端末に関する第１ヒステリシス情報と第２タイプ端末に関する第２ヒステリシス情報に細分化する。
【００７３】
この場合、前記第１タイプ端末はＭＢＭＳデータを受信しない端末を含み、前記第１ヒステリシス情報はＭＢＭＳデータを受信しない端末がアイドル状態でセルリセレクションを実行する場合に使用するパラメータである。
【００７４】
また、前記第２タイプ端末はＭＢＭＳデータを受信する端末を含み、前記第２ヒステリシス情報はＭＢＭＳデータを受信する端末がアイドル状態でセルリセレクションを実行する場合に使用するパラメータである。
【００７５】
端末は、アイドル状態で、現在のサービングセルよりも強い受信信号を有する隣接セルがあるかどうかをモニタリングし、より強い受信信号を有する隣接セルがある場合、当該セルをサービングセルに再選択することになるが、これをセルリセレクションという。
【００７６】
端末は、下記数学式を使用してサービングセル及び少なくとも一つの隣接セルに関するランキングスコア（ｒａｎｋｉｎｇ ｓｃｏｒｅ）を測定する。
【００７７】
＜数学式１＞
Ｒｓ＝Ｑｍｅａｓ，ｓ＋Ｑｈｙｓｔ
Ｒｎ＝Ｑｍｅａｓ，ｎ−Ｑｏｆｆｓｅｔ，ｓ，ｎ
【００７８】
ここで、上記 Ｒｓ はサービングセルに関するランキングスコアであり、 Ｒｎ は隣接セルのうちいずれか一つに関するランキングスコアである。 Ｑｍｅａｓ，ｓ は端末の受信機によって受信したサービングセルの信号に関する受信電力であり、 Ｑｍｅａｓ，ｎ は端末の受信機によって受信した隣接セルの信号に関する受信電力である。
【００７９】
また、上記の数学式１から分かるように、サービングセルに関するランキングスコアを測定する場合、ヒステリシスパラメータを考慮するようになるが、これは端末の誤ったセルリセレクションによってピンポン現象が発生することを防止するためである。より具体的には、端末は、サービングセルからの測定結果に、ヒステリシスパラメータ値を足した結果を超過するほど、受信信号の強い隣接セルが発見されなければ当該隣接セルにセルリセレクションを実行しない。
【００８０】
同様に、上記の数学式１から分かるように、隣接セルに関するランキングスコアを測定する場合、オフセットパラメータを考慮するようになるが、これも端末の誤ったリセレクションによってピンポン現象が発生することを防止するためである。
【００８１】
本発明の第２実施形態では、前記ヒステリシス情報を、ＭＢＭＳデータを受信する端末のための第１ヒステリシス情報とＭＢＭＳデータを受信しない端末のための第２ヒステリシス情報に区分する。
【００８２】
これによって、端末は、ＭＢＭＳデータを受信するか否かによって、相異するヒステリシス情報に基づいてセルリセレクションを実行する。例えば、ＭＢＭＳデータを受信する端末は、相対的により大きい値を有する第２ヒステリシス情報に基づいてセルリセレクションを実行し、セルリセレクションが発生する回数を減らすことができる。
【００８３】
このために、基地局が放送するＳＩＢ ３の内容は下記表４のように変更され得る。
【００８４】
【表４】
2017531403.tif 000006
【００８５】
本発明の第２実施形態に係る基地局及び端末の動作を図６及び図７によって下記のように説明する。
【００８６】
まず、図６は本発明の第２実施形態に係る基地局の動作順序を示すフローチャートである。  まず、基地局は、Ｓ６１０段階で第１タイプ端末に関する第１ヒステリシス情報を生成することができる。この場合、前記第１タイプ端末はＭＢＭＳデータを受信しない端末を含むことができる。
【００８７】
また、基地局は、Ｓ６２０段階で第２タイプ端末に関する第２ヒステリシス情報を生成することができる。この場合、前記第２タイプ端末はＭＢＭＳデータを受信する端末を含むことができる。
【００８８】
本発明の好ましい実施形態によると、前記第２ヒステリシス情報による値は、第１ヒステリシス情報による値よりも設定された基準以上に大きい値になり得る。
【００８９】
また、基地局は、Ｓ６３０段階で前記第１ヒステリシス情報と第２ヒステリシス情報を含むＳＩＢを生成することができる。本発明の一実施形態によると、前記ＳＩＢはＳＩＢ ３を含むことができる。
【００９０】
また、基地局は、Ｓ６４０段階で前記生成されたＳＩＢを放送することができる。
【００９１】
図７は本発明の第２実施形態に係る端末の動作順序を示すフローチャートである。
【００９２】
まず、端末は、Ｓ７１０段階で基地局からＳＩＢを受信したかどうかを判断する。この場合、前記ＳＩＢはＳＩＢ ３を含むことができる。
【００９３】
また、端末は、Ｓ７２０段階で現在ＭＢＭＳデータを受信しているかどうかを判断する。
【００９４】
ＭＢＭＳデータを受信していない場合、端末は、Ｓ７３０段階に進行して前記受信したＳＩＢから第１ヒステリシス情報を抽出する。また、端末は、Ｓ７４０段階に進行して前記抽出された第１ヒステリシス情報に基づいてセルリセレクション手続きを実行する。端末はアイドル状態で前記セルリセレクション手続きを実行することができる。
【００９５】
一方、ＭＢＭＳデータを受信している場合、端末は、Ｓ７５０段階に進行して前記受信したＳＩＢから第２ヒステリシス情報を抽出する。また、端末は、Ｓ７６０段階に進行して前記抽出された第２ヒステリシス情報に基づいてセルリセレクション手続きを実行する。
【００９６】
上記では端末がＭＢＭＳデータを受信できる端末であると仮定し、ＳＩＢを受信した時点で、前記ＭＢＭＳデータを受信しているかどうかを基準にして、相異するヒステリシス情報によってセルリセレクション手続きを実行する過程について記述した。
【００９７】
しかし、本発明の実施形態は必ずしも上記のような条件で実施される必要はない。例えば、ＭＢＭＳデータを受信できない端末でも、ＭＢＭＳデータを受信していない端末と同一の動作を実行できることに留意するべきである。
【００９８】
以下では、本発明の第３実施形態について説明する。
【００９９】
本発明の第３実施形態によると、ＭＢＭＳデータを受信する端末は、セルリセレクションを実行する場合、基地局で放送されるＳＩＢ ３に含まれたヒステリシス情報の他に、別途のオフセット（ｏｆｆｓｅｔ）情報を利用してセルリセレクションを実行する。
【０１００】
端末が、ＳＩＢ ３に含まれたヒステリシス情報による値とオフセット情報による値を合わせた結果値を利用してセルリセレクションを実行する場合、数学式１から分かるように、サービングセルに関するランキングスコアが高くなる。その結果、端末がＭＢＭＳデータを受信する場合、セルリセレクションの発生頻度を減らすことができる。
【０１０１】
上記した本発明の第３実施形態に係る具体的な動作を図８によって説明する。
【０１０２】
図８は本発明の第３実施形態に係る端末の動作順序を示すフローチャートである。
【０１０３】
端末は、Ｓ８１０段階で基地局からＳＩＢを受信することができる。本発明の一実施形態によると前記ＳＩＢはＳＩＢ ３である場合がある。
【０１０４】
端末は、基地局と同期化を実行すれば、放送チャンネルであるＰＢＣＨ（Ｐｈｙｓｉｃａｌ Ｂｒｏａｄｃａｓｔ Ｃｈａｎｎｅｌ）を通じてマスタ情報ブロック（Ｍａｓｔｅｒ Ｉｎｆｏｒｍａｔｉｏｎ Ｂｌｏｃｋ）を受信してＳＩＢのスケジューリング情報を獲得することができる。これによって、端末はＳＩＢを受信できるようになる。
【０１０５】
また、端末は、Ｓ８２０段階で前記受信したＳＩＢ ３からセルリセレクション関連パラメータを確認することができる。前記セルリセレクション関連パラメータはヒステリシス情報（Ｑｈｙｓｔ）を含むことができる。
【０１０６】
また、端末は、特定の時点にアイドル状態（Ｉｄｌｅ）に入ることができる。また、端末は、セルリセレクション手続きを行う必要性がある場合、Ｓ８３０段階でＭＢＭＳデータを受信しているかどうかを判断する。
【０１０７】
ＭＢＭＳデータを受信していない場合、端末は、Ｓ８４０段階に進行して前記ＳＩＢから確認されたパラメータ、例えば、ヒステリシス情報に基づいてセルリセレクション手続きを実行することができる。
【０１０８】
一方、ＭＢＭＳデータを受信している場合、端末は、Ｓ８５０段階に進行してオフセット情報を確認することができる。前記オフセット情報は端末に予め設定されている特定の値である場合がある。または、本発明の一実施形態によると、基地局が別途のシグナリングまたは物理チャンネルを通じて前記端末に伝達することもできる。
【０１０９】
オフセット情報を確認した端末は、Ｓ８６０段階でＳＩＢから確認されたヒステリシス情報と前記オフセット情報に基づいてセルリセレクション手続きを実行することができる。
【０１１０】
図９は本発明の実施形態に係る基地局の内部構造を示すブロック図である。図９で示されているように、本発明の基地局は送受信部９１０と制御部９２０を含むことができる。
【０１１１】
送受信部９１０は、端末または無線通信システムのコアノードと信号を送受信できる手段を提供することができる。例えば、送受信部９１０は、基地局が端末と信号を送受信する場合には、基地局と端末の間に無線チャンネルを形成して信号を送受信するようにする。一方、送受信部９１０は、基地局がコアノードと信号を送受信する場合、有線のインターフェースを提供して信号を送受信するようにする。
【０１１２】
制御部９２０は、基地局が本発明の実施形態によって動作を実行できるように各ブロック間の信号の流れを制御することができる。本発明の一実施形態によると、前記制御部９２０はシステム情報ブロック（ＳＩＢ）管理部９２１をさらに含むことができる。
【０１１３】
前記ＳＩＢ管理部９２１は、第１タイプ端末に関する第１ヒステリシス情報と第２タイプ端末に関する第２ヒステリシス情報を含むシステム情報ブロックを生成することができる。また、前記ＳＩＢ管理部９２１０は前記生成されたシステム情報ブロックを放送するように制御することができる。
【０１１４】
この場合、前記第１タイプ端末はＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを受信していない端末を含み、前記第２タイプ端末はＭＢＭＳデータを受信中である端末を含むことができる。また、前記システム情報ブロックはＳＩＢ（Ｓｙｓｔｅｍ Ｉｎｆｏｒｍａｔｉｏｎ Ｂｌｏｃｋ）３を含むことができる。
【０１１５】
また、前記第１ヒステリシス情報と前記第２ヒステリシス情報は、前記第１タイプ端末または前記第２タイプ端末がセルリセレクションを実行するのに利用することができる。
【０１１６】
一方、上記では制御部９２０とＳＩＢ管理部９２１が別途のブロックで区分され、相異する機能を行うように記述されているが、これに限定されるものではない。例えば、ＳＩＢ管理部９２１が実行する機能を制御部９２０が直接実行することもできる。
【０１１７】
図１０は本発明の実施形態に係る端末の内部構造を示すブロック図である。図１０で示されているように、本発明の端末は送受信部１０１０、保存部、制御部１０３０を含むことができる。
【０１１８】
送受信部１０１０は基地局と無線チャンネルを形成し、信号を送受信する。本発明の一実施形態によると、前記送受信部１０１０は基地局から伝送されるシステム情報ブロックを受信し、制御部１０３０に伝達することができる。
【０１１９】
保存部１０２０は端末が動作するのに必要なソフトウェア、プログラムなどを保存することができる。本発明の一実施形態によると、前記保存部１０２０は端末がセルリセレクションを実行するのに必要なオフセット情報を保存することもできる。
【０１２０】
制御部１０３０は端末が本発明の実施形態によって動作を実行できるように各ブロック間の信号の流れを制御することができる。本発明の一実施形態によると、前記制御部１０３０はセルリセレクション実行部１０３１をさらに含むことができる。
【０１２１】
セルリセレクション実行部１０３１は、基地局からシステム情報ブロックを受信し、ＭＢＭＳ（Ｍｕｌｔｉｍｅｄｉａ Ｂｒｏａｄｃａｓｔ Ｍｕｌｔｉｃａｓｔ Ｓｅｒｖｉｃｅ）データを受信中であるかどうかを判断することができる。また、セルリセレクション実行部１０３１は、前記システム情報ブロックと前記判断結果に基づいてセルリセレクションを実行するように制御することができる。
【０１２２】
より具体的には、セルリセレクション実行部１０３１は、前記端末が前記ＭＢＭＳデータを受信中ではない場合、前記システム情報ブロックに含まれた第１タイプのための第１ヒステリシス情報に基づいて前記セルリセレクションを実行するように制御することができる。または、セルリセレクション実行部１０３１は、前記端末が前記ＭＢＭＳデータを受信中ではない場合、前記システム情報ブロックに含まれた第２タイプのための第２ヒステリシス情報に基づいて前記セルリセレクションを実行するように制御することができる。
【０１２３】
また、本発明の一実施形態によると、前記セルリセレクション実行部１０３１は、前記端末が前記ＭＢＭＳデータを受信中ではない場合、予め設定されたオフセット情報を確認し、前記システム情報ブロックに含まれたヒステリシス情報と前記オフセット情報に基づいて前記セルリセレクションを実行するように制御することができる。
【０１２４】
この場合、前記システム情報ブロックはＳＩＢ（Ｓｙｓｔｅｍ Ｉｎｆｏｒｍａｔｉｏｎ Ｂｌｏｃｋ）３を含むことができる。
【０１２５】
上記本発明によると、発明は、ＭＢＭＳデータを受信する端末がセル間を移動する際、セルリセレクションが頻繁に発生しないため、端末はＭＢＭＳデータを連続的に受信することができる。
【０１２６】
本明細書と図面に開示された本発明の実施形態は、本発明の技術内容を分かりやすく説明し、本発明を理解しやすくするために特定の例を提示したものであり、本発明の範囲を限定するものではない。ここに開示された実施形態以外にも、本発明の技術的思想に基づいた他の変形例が実施可能であることは、発明の属する技術分野における通常の知識を有する者にとって自明なことである。
【符号の説明】
【０１２７】
１１０  領域予約セル
３００  ラジオフレーム
３０５  サブフレーム
４００  端末
４０３  基地局
５００  端末
９１０  送受信部
９２０  制御部
９２１  システム情報ブロック（ＳＩＢ）管理部
１０１０  送受信部
１０２０  保存部
１０３０  制御部
１０３１  セルリセレクション実行部
【図１】
2017531403.tif 000007
【図２】
2017531403.tif 000008
【図３】
2017531403.tif 000009
【図４】
2017531403.tif 000010
【図５】
2017531403.tif 000011
【図６】
2017531403.tif 000012
【図７】
2017531403.tif 000013
【図８】
2017531403.tif 000014
【図９】
2017531403.tif 000015
【図１０】
2017531403.tif 000016
【国際調査報告】
2017531403.tif 000017
2017531403.tif 000018
2017531403.tif 000019
2017531403.tif 000020
2017531403.tif 000021
2017531403.tif 000022